(57)【特許請求の範囲】
【請求項１】
記録媒体を格納し筐体に凹部を設けたカートリッジを収容するカートリッジホルダが起伏可能に設けられた情報処理装置において、
前記カートリッジホルダには、前記カートリッジの凹部と係合する凸部を有し、この凸部が凹部と係合した状態で、前記カートリッジを、カートリッジホルダに対してカートリッジの挿抜が可能な挿抜位置から前記記録媒体に対する情報の記録・再生が可能な装填位置に引き込む引込みレバーが、前記カートリッジの挿脱方向に沿って摺動自在に設けられるとともに、この引込みレバーをカートリッジホルダの起伏動作と連動させる連動手段が設けられ、カートリッジホルダを伏せることにより前記引込みレバーが挿抜位置から装填位置に摺動されてカートリッジが装填位置に引き込まれるように構成されており、
前記カートリッジホルダは、該カートリッジホルダに収容可能な最大サイズのカートリッジと、このカートリッジよりも小さなサイズのカートリッジとの複数種類のカートリッジが収容可能に構成され、
前記引込みレバーの凸部は、前記小さなサイズのカートリッジに対してはその凹部と係合し、最大サイズのカートリッジに対してはその一面に当接した状態で退避するように構成されたことを特徴とする情報処理装置。
【請求項２】
請求項１に記載の情報処理装置において、
前記連動手段は、装置本体のシャーシに設けられた第１ラックと、この第１ラックと歯合する第１ギアと、この第１ギアと同軸上に設けられた第２ギアと、前記引込みレバーに設けられ該第２ギアと歯合する第２ラックとから構成されたことを特徴とする情報処理装置。
【発明の詳細な説明】
【０００１】
【発明の属する技術分野】
本発明は、情報処理装置に関する。特に、光ディスクに対して情報信号の記録・再生を行い、大きさの異なる大小のカートリッジを記録再生できるコンパチブル光ディスク装置において、カートリッジの装置への挿入の操作性を向上させるようにしたものである。
【０００２】
【従来の技術】
近年、コンピュータの情報記録再生用或いは画像・音声等の記録再生装置として、ディスクを記録媒体とした光ディスク装置が広く使用されている。
【０００３】
従来の光ディスク装置の斜視図を図１０に示す。
【０００４】
この光ディスク装置は、シャーシ１に、ターンテーブル２が固定されたスピンドルモータ３が固定され、送りモータ（図示せず）により、カートリッジ４に収納されたディスクの径方向に直接移動される光ピックアップ装置（図示せず）が取り付けられてなっている。
【０００５】
また、シャーシ１には、カートリッジホルダ５が起伏可能に設けられている。このカートリッジホルダ５は、薄板の両端が同方向に屈曲されてカートリッジ収納部が形成され、上面に磁気ヘッド６の移動方向に対応した開口部が設けられてなっている。カートリッジホルダ５は、シャーシ１に設けられた支点１ａを中心に、装填位置と挿抜位置にわたって移動する。ここで、装填位置とは、シャーシ１側に近づくようにホルダ５が伏してディスクの再生が可能な位置をいい、挿抜位置とは、シャーシ１側から離れるようにホルダ５が起上して停止しカートリッジの挿抜を可能とする位置をいう。
【０００６】
さらに、光ディスク装置を覆うように上下のキャビ７，８が設けられており、シャーシ１は下キャビ７に固定されている。また、ホルダ５は上キャビ８に連動して起伏動作を行なう。
【０００７】
なお、図１０は、上下のキャビ７，８が開き、ホルダ５がシャーシ１側から離れるように起上している挿抜位置を表している。
【０００８】
次に、カートリッジ４の装填手順について説明する。
【０００９】
図１０に示す挿抜位置において、カートリッジ４をホルダ５の前面開口部から挿入し、さらにカートリッジ排出機構（図示せず）の付勢力に抗して挿入し、カートリッジ４が所定位置まで挿入されるとカートリッジ排出機構がロック保持されカートリッジの挿入が完了する。以下、このカートリッジの挿入が完了した位置をカートリッジ挿入完了位置という。
【００１０】
この状態において上キャビ８を介してホルダ５を押し下げると、カートリッジ４がシャーシ１上の位置決めピン（図示せず）により水平方向、高さ方向に位置決めされるとともに、カートリッジ４下面側の開口部からスピンドルモータ３に固定されたターンテーブル２が挿入されてディスクがチャッキングされる。
【００１１】
そして、光ピックアップ装置（図示せず）が、カートリッジ４の下面側の開口部を通してディスクの下面側に対応され、スピンドルモータ３の駆動によりディスクの再生が行われる。
【００１２】
なお、カートリッジ４の離脱手順は上記した装填手順と逆であって、カートリッジ４を取り出すときは、上下のキャビ７，８を開き、ホルダ５が所定の角度回動して起上すると、カートリッジ排出機構（図示せず）のロックが外れ、カートリッジ４が排出される。
【００１３】
【発明が解決しようとする課題】
しかし、上記した従来技術では、カートリッジ挿入完了位置におけるカートリッジ後端（「カートリッジ挿入方向を前方向とした場合の後端」をいう。以下同じ。）と光ディスク装置のカートリッジ挿入口との距離が長く、カートリッジを挿入完了位置まで挿入する為に、上下キャビからさらに奥まで指を挿入する必要があった。このため、指を傷付けるおそれがあったり、また、カートリッジ挿入の操作性が悪いものとなっていた。
【００１４】
また、大きさの異なる複数種類のカートリッジを挿入可能なコンパチブル光ディスク装置においては、挿入完了位置での大小カートリッジのディスク中心位置を合わせる必要がある為、図９に示すように、小カートリッジ９は、小カートリッジ９のディスク中心位置とカートリッジ後端の距離Ａと、大カートリッジ１０のディスク中心位置とカートリッジ後端の距離Ｂとの差Ｃの分だけ大カートリッジ１０より奥へ挿入する必要があり、特に小カートリッジを挿入する場合は、指を奥まで挿入しなければならない。このため、指を傷付けるおそれがあったり、また、カートリッジ挿入の操作性が悪いものとなっていた。
【００１５】
本発明はこうした問題点を解決するためになされたもので、カートリッジ挿入時に指を傷付けることがなく、操作性の向上が図られた情報処理装置を提供することを目的とする。
【００１６】
【課題を解決するための手段】
上記の目的を達成するため、本発明は記録媒体を格納し筐体に凹部を設けたカートリッジを収容するカートリッジホルダが起伏可能に設けられた情報処理装置において、
前記カートリッジホルダには、前記カートリッジの凹部と係合する凸部を有し、この凸部が凹部と係合した状態で、前記カートリッジを、カートリッジホルダに対してカートリッジの挿抜が可能な挿抜位置から前記記録媒体に対する情報の記録・再生が可能な装填位置に引き込む引込みレバーが、前記カートリッジの挿脱方向に沿って摺動自在に設けられるとともに、この引込みレバーをカートリッジホルダの起伏動作と連動させる連動手段が設けられ、カートリッジホルダを伏せることにより前記引込みレバーが挿抜位置から装填位置に摺動されてカートリッジが装填位置に引き込まれるように構成されており、前記カートリッジホルダは、該カートリッジホルダに収容可能な最大サイズのカートリッジと、このカートリッジよりも小さなサイズのカートリッジとの複数種類のカートリッジが収容可能に構成され、前記引込みレバーの凸部は、前記小さなサイズのカートリッジに対してはその凹部と係合し、最大サイズのカートリッジに対してはその一面に当接した状態で退避するように構成されたことを特徴とする。
【００１９】
この発明によれば、小さなサイズのカートリッジに対しては、挿抜位置にてカートリッジをカートリッジホルダに挿入後、カートリッジホルダを伏せることにより、引込みレバーがカートリッジの挿脱方向に沿って摺動されてカートリッジが装填位置に引き込まれる。一方、最大サイズのカートリッジに対しては、引込みレバーの凸部がこのカートリッジの一面に当接した状態で退避するので、カートリッジは挿入完了位置においてそれ以上引込まれることなく装填され再生可能とされる。したがって、一つの装置で小さなサイズのカートリッジと最大サイズのカートリッジに対応することができる。
【００２０】
本発明は、前記構成の情報処理装置において、前記連動手段は、装置本体のシャーシに設けられた第１ラックと、この第１ラックと歯合する第１ギアと、この第１ギアと同軸上に設けられた第２ギアと、前記引込みレバーに設けられ該第２ギアと歯合する第２ラックとから構成されたことを特徴とする。
【００２１】
この発明によれば、引込みレバーをカートリッジホルダの起伏動作と連動してカートリッジの挿脱方向に沿って摺動させることができる。
【００２２】
【発明の実施の形態】
以下、本発明の第１の実施の形態について図を参照して説明する。なお、従来の技術と同一の構成のものについては、同一の符号を付している。
【００２３】
図１は、本実施の形態に係る光ディスク装置の斜視図、図２は、図１における光ディスク装置の側面断面図である。
【００２４】
本実施の形態に係る光ディスク装置は、シャーシ１に、ターンテーブル２を固定したスピンドルモータ３が固定され、送りモータ（図示せず）により、カートリッジ４に収納されたディスクの径方向に直接移動される光ピックアップ装置（図示せず）が取り付けられてなっている。
【００２５】
シャーシ１には、カートリッジホルダ５が起伏可能に設けられている。このカートリッジホルダ５は、薄板の両端が同方向に屈曲されてカートリッジ収納部が形成され、上面に磁気ヘッド６の移動方向に対応した開口部が設けられてなっている。ホルダ５は、シャーシ１に設けられた支点１ａを中心に回動し、装填位置と挿抜位置にわたって移動する。ここで、装填位置とは、シャーシ１側に近づくようにホルダ５が伏してディスクの再生可能な位置をいい、挿抜位置とは、シャーシ１側から離れるようにカートリッジホルダ５が起上して停止しカートリッジの挿抜を可能とする位置をいう。また、シャーシ１には第１ラック１ｂが一体的に形成されている。
【００２６】
カートリッジホルダ５の側面には、第１ギア１２ｂとこの第１ギアと同軸上に設けられた第２ギア１２ａとからなる２段ギア１２が設けられている。また、引込みレバー１１がカートリッジの挿脱方向に沿って摺動自在に設けられている。
【００２７】
この引込みレバー１１の一端には、第２ラック１１ａが設けられ、この第２ラック１１ａが、カートリッジホルダ５の側面部に設けられた２段ギア１２の第２ギア１２ａに係合している。２段ギア１２の第１ギア１２ｂには、シャーシ１に一体的に構成された第１ラック１ｂが係合されており、カートリッジホルダ５の動作により引込みレバー１１がカートリッジホルダ５に対し、カートリッジの挿脱方向に沿って摺動するように構成されている。
【００２８】
図３は、引込みレバー１１を示す斜視図である。引込みレバー１１の第２ラック１１ａの反対側の端部には、カートリッジ４の下面に対応する位置に折曲げ部１１ｂが形成されており、折曲げ部１１ｂには板バネ１３を介して凸部１４が設けられている。
【００２９】
図４は、カートリッジ４を示す斜視図である。このカートリッジ４の側面下側には、凹部４ａが設けられている。また、引込みレバー１１に設けられた凸部１４は、カートリッジ４の凹部４ａに入り込むことが可能な形状に形成されている。
【００３０】
さらに、光ディスク装置を覆うように上下のキャビ７，８が設けられており、シャーシ１は下キャビ７に固定されている。また、カートリッジホルダ５は上キャビ８に連動して起伏動作を行なう。
【００３１】
なお、図１は、上下のキャビ７，８を省略している。図１及び図２は、上下のキャビ７，８が開き、ホルダ５がシャーシ１側から離れるように起上している挿抜位置を表している。
【００３２】
次に、カートリッジ４の装填手順について図２、図５及び図６を用いながら説明する。
【００３３】
挿抜位置において、カートリッジ４をカートリッジホルダ５の前面開口部から挿入し、さらにカートリッジ排出機構（図示せず）の付勢力に抗して挿入し、カートリッジホルダ５の挿入口とカートリッジ４の後端面がほぼ同一となる挿入完了位置まで挿入されるとカートリッジ排出機構がロック保持され、カートリッジ４の押込みが規制される。このとき、図７に示すように、カートリッジ４の凹部４ａに、引込みレバー１１の凸部１４が入り込んでいる。図２及び図５は、挿入完了位置までカートリッジ４を挿入した状態を示す。
【００３４】
そして、この状態で上キャビ８を介してカートリッジホルダ５を押し下げると、カートリッジホルダ５の側面に設けられた２段ギア１２とシャーシ１の第１ラック１ｂとが係合しているので、２段ギア１２が図５において反時計回りの方向に回転し、さらに引込みレバー１１がカートリッジ挿入方向に摺動する。これにより、カートリッジ４がカートリッジホルダ５の内部の所定の装填可能位置まで引込まれる。そして、カートリッジ４がシャーシ１上の位置決めピン（図示せず）により水平方向、高さ方向に位置決めされるとともに、カートリッジ４下面側の開口部からスピンドルモータ３に固定されたターンテーブル２が挿入されてディスクがチャッキングされる。図６は、カートリッジ４が装填された状態を示す。
【００３５】
次いで、光ピックアップ装置（図示せず）が、カートリッジ４の下面側の開口部を通してディスクの下面側に対応されて、スピンドルモータ３の駆動によりディスクの再生が行われる。
【００３６】
なお、カートリッジ４の離脱手順は上記した装填手順と逆であって、カートリッジ４を取り出すときは、上下のキャビ７，８を開き、ホルダ５の起伏動作に応じて、２段ギア１２と第１ラック１ｂ及び引込みレバー１１によりカートリッジ４が排出方向に移動する。カートリッジホルダ５が所定の角度回動して起上すると、カートリッジ排出機構（図示せず）のロックが外れ、カートリッジ４が排出される。
【００３７】
次に、本発明の第２の実施の形態について説明する。
【００３８】
本実施の形態に係る光ディスク装置は、図９に示すような大きさの異なる２種類のカートリッジ（本実施の形態では小カートリッジ９と大カートリッジ１０）に対応可能な、所謂コンパチブルメカニズムであって、図８はこの光ディスク装置を示す斜視図である。なお、従来例及び前記した第１の実施の形態と同一の構成のものについては、同一の符号を付し、詳細説明を省略する。
【００３９】
カートリッジホルダ５の内側には、左右のガイド１５，１６がカートリッジ９，１０の幅方向に摺動自在に設けられており、カートリッジ９，１０の挿入に伴い、左右のガイド１５，１６が移動するように図られている。
【００４０】
カートリッジホルダ５の側面には、引込みレバー１１がカートリッジ挿脱方向に沿って摺動自在に取り付けられている。この引込みレバー１１の一端には、第２ラック１１ａが設けられており、この第２ラック１１ａは、カートリッジホルダ５の側面部に設けられた２段ギア１２の第２ギア１２ａに係合するようになされている。また、２段ギア１２の第１ギア１２ｂには、シャーシ１に一体的に構成された第１ラック１ｂが係合されており、カートリッジホルダ５の起伏動作により引込みレバー１１がカートリッジホルダ５に対し、カートリッジ挿脱方向に沿って摺動するようになされている。
【００４１】
図３は、引込みレバー１１を示す斜視図である。引込みレバー１１の第２ラック１１ａの反対側の端部には、小カートリッジ９の下面に対応する位置に折曲げ部１１ｂが形成されており、折曲げ部１１ｂには板バネ１３を介して凸部１４が設けられている。
【００４２】
図４は、小カートリッジ９の形状を示す斜視図である。この小カートリッジ９の側面下側には、凹部４ａが設けられている。また、引込みレバー１１に設けられた凸部１４は、小カートリッジ９の凹部４ａに入り込むことが可能な形状に形成されている。
【００４３】
次に、カートリッジ９，１０の装填手順について図８、図５及び図６を用いながら説明する。
【００４４】
小カートリッジ９の挿入においては、左右のガイド１５，１６は図８に示すように小カートリッジ９の幅に対応した位置にあり、小カートリッジ９を左右のガイド１５，１６の間に挿入する。さらに、小カートリッジ９をカートリッジ排出機構（図示せず）の付勢力に抗して挿入し、カートリッジホルダ５の挿入口と小カートリッジ９の後端面がほぼ同一となる挿入完了位置まで挿入されるとカートリッジ排出機構がロック保持され、小カートリッジ９の押込みが規制される。このとき、図７に示すように、小カートリッジ９の凹部４ａに、引込みレバー１１の凸部１４が入り込んでいる。
【００４５】
そして、この状態で上キャビ８を介してカートリッジホルダ５を押し下げると、カートリッジホルダ５の側面に設けられた２段ギア１２とシャーシ１の第１ラック１ｂとが係合しているので、２段ギア１２が反時計回りの方向に回転し、さらに引込みレバー１１がカートリッジ挿入方向に摺動する。これにより、小カートリッジ９がカートリッジホルダ５の内部の所定の装填可能位置まで引込まれる。そして、小カートリッジ９がシャーシ１上の位置決めピン（図示せず）により水平方向、高さ方向に位置決めされるとともに、小カートリッジ９下面側の開口部からスピンドルモータ３に固定されたターンテーブル２が挿入されてディスクがチャッキングされる。
【００４６】
大カートリッジ１０の挿入においては、左右のガイド１５，１６は、大カートリッジ１０の挿入に伴ってこの大カートリッジ１０の幅に対応した位置まで左右に開く。大カートリッジ１０の挿入途中では板バネ１３が撓むので、引込みレバー１１の凸部１４が、大カートリッジ１０の下面に当接した状態となる。さらにカートリッジ排出機構（図示せず）の付勢力に抗して挿入し、カートリッジホルダ５の挿入口と大カートリッジ１０の後端面がほぼ同一となる挿入完了位置まで挿入されるとカートリッジ排出機構がロック保持され、大カートリッジ１０の挿入が完了する。
【００４７】
そして、この状態で上キャビ８を介してカートリッジホルダ５を押し下げると、カートリッジホルダ５の側面に設けられた２段ギア１２とシャーシ１の第１ラック１ｂとが係合しているので、２段ギア１２が反時計回りの方向に回転し、さらに引込みレバー１１がカートリッジ挿入方向に摺動する。このとき、引込みレバー１１の凸部１４は大カートリッジ１０の下面をスライドする。そして、大カートリッジ１０がシャーシ１上の位置決めピン（図示せず）により水平方向、高さ方向に位置決めされるとともに、大カートリッジ１０下面側の開口部からスピンドルモータ３に固定されたターンテーブル２が挿入されてディスクがチャッキングされる。
【００４８】
【発明の効果】
以上に説明したとおり本発明の情報処理装置は構成されるので、カートリッジ挿入完了位置でのカートリッジの後端と情報処理装置のカートリッジ挿入口との距離が短い場合であっても、カートリッジ挿入完了後カートリッジホルダを伏せるのに応じてカートリッジがさらに奥まで引込まれ、カートリッジが所定の位置に装填され再生可能とされ、大きさの異なるカートリッジを記録再生できるコンパチブル光ディスク装置において対応することができる。したがって、カートリッジホルダに収容可能な最大サイズのカートリッジよりも小さなサイズのカートリッジを奥まで挿入する必要がないので、操作性が良く、また指を怪我することを防止することができる。
【００５０】
さらに、第１、第２の２つのラックと第１と第２の２つのギアとの歯合により、引込みレバーをカートリッジホルダの起伏動作と連動してカートリッジの挿脱方向に沿って摺動させることができる。したがって、カートリッジホルダの起伏動作に連動してカートリッジを引込むので、操作者にカートリッジの引込みを感じさせることなく操作させることができ、操作性の向上を図ることができる。また、カートリッジホルダ側面に設けたギアのギア比を変更するだけで、カートリッジ挿入状態におけるカートリッジホルダの開角度と、カートリッジの引込み量を決定することが可能となるので、所定のカートリッジ引込み量を得るためにカートリッジホルダの開角度を大きくする必要がなくなり、誤ってカートリッジをカートリッジホルダの下部へ挿入する等による情報処理装置の破損を防止することができる。
【図面の簡単な説明】
【図１】本発明の第１の実施の形態における光ディスク装置を示す斜視図である。
【図２】図１における光ディスク装置の側面断面図である。
【図３】本発明の引込みレバーを示す斜視図である。
【図４】本発明のカートリッジを示す斜視図である。
【図５】本発明の挿抜位置における光ディスク装置を示す側面断面図である。
【図６】本発明のカートリッジ装填位置における光ディスク装置を示す側面断面図である。
【図７】本発明のカートリッジと引込みレバーの関係を示す斜視図である。
【図８】本発明の第２の実施の形態における光ディスク装置を示す斜視図である。
【図９】カートリッジを示す上面図である。
【図１０】従来の光ディスク装置を示す側面断面図である。
【符号の説明】
１    シャーシ
１ｂ  第１ラック
４    カートリッジ
５    カートリッジホルダ
９    小カートリッジ
１０  大カートリッジ
１１  引込みレバー
１１ａ第２ラック
１２  ２段ギア
１２ａ第２ギア
１２ｂ第１ギア
１４  凸部
【図１】
0003983550.tif 000002
【図２】
0003983550.tif 000003
【図３】
0003983550.tif 000004
【図４】
0003983550.tif 000005
【図５】
0003983550.tif 000006
【図６】
0003983550.tif 000007
【図７】
0003983550.tif 000008
【図８】
0003983550.tif 000009
【図９】
0003983550.tif 000010
【図１０】
0003983550.tif 000011